【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  下記一般化学式により表されるキラルな触媒。
【化１】
2002513734.tif 000001
（ここで、置換基R1、R2、Y1、Y2、X1、X2、X3およびX4が、それぞれ独立して、水素、ハロゲン、アルキル、アルケニル、アルキニル、ヒドロキシル、アルコキシル、シリロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し、
あるいは任意の2つ以上の置換基が合わさって、環構造内に4から8原子を有する炭素環または複素環を形成し、
R1、Y1、X1およびX2の少なくとも1つが、R2、Y2、X3およびX4の少なくとも1つに共有結合して4座配位子としてそれらが結合するβ−イミノカルボニルを提供し、かつY1およびY2の少なくとも1方が水素であることを条件とし；
R7がアリール、シクロアルキル、シクロアルケニル、複素環または多環を表し；
ｍがゼロまたは1から8の範囲内の整数であり；
Mが主族金属を表し；かつ
Aが対イオンまたは求核試薬を表し、
ここで置換基R1、R2、Y1、Y2、X1、X2、X3およびX4が、それぞれ、該触媒が不斉になるように選択される。）
【請求項２】  下記一般化学式104により表されるキラルな触媒。
【化２】
2002513734.tif 000002
（ここで、B1部分が−R15−R16−R17−によって表されるジイミン架橋置換基を表し、ここでR15およびR17が、それぞれ独立して、存在しないか、またはアルキル、アルケニルもしくはアルキニルを表し、かつR16が存在しないか、またはアミン、イミン、アミド、ホスホリル、カルボニル、シリル、酸素、硫黄、スルホニル、セレニウム、カルボニルもしくはエステルを表し；
B2およびB3が、それぞれ独立して、その環構造内に4から8原子を含む、シクロアルキル、シクロアルケニル、アリール、および複素環より成る群から選択された環を表し；
Y1およびY2が、それぞれ独立して、水素、ハロゲン、アルキル、アルケニル、アルキニル、ヒドロキシル、アルコキシル、シリロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し、
R12、R13およびR14が、それぞれ独立して、存在しないか、または、ハロゲン、アルキル、アルケニル、アルキニル、ヒドロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7によるB1、B2およびB3の少なくとも1つの共有結合置換を表し、ここで、R12は、−R15−R16−R17−の1つ以上の位置に存在でき、
あるいはR12、R13、R14、Y1およびY2の任意の2つ以上が合わさって、架橋置換基を形成し；
R7がアリール、シクロアルキル、シクロアルケニル、複素環または多環を表し；
ｍがゼロまたは1から8の範囲内の整数であり；
Mが主族金属を表し；かつ
Aが対イオンまたは求核試薬を表し、
ここで置換基R12、R13、R14、Y1、Y2は、該触媒が不斉になるように選択される。）
【請求項３】  下記一般化学式106により表されるキラルな触媒。
【化３】
2002513734.tif 000003
（ここで、置換基R1、R2、R3、R4、R5、Y1、Y2、X1、X2、X3、X4、X5、X6、X7およびX8が、それぞれ独立して、水素、ハロゲン、アルキル、アルケニル、アルキニル、ヒドロキシル、アルコキシル、シリロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し；
あるいは、任意の2つ以上の置換基が合わさって、環構造内に4から10原子を有する炭素環または複素環を形成し；
R7がアリール、シクロアルキル、シクロアルケニル、複素環または多環を表し；
ｍがゼロまたは1から8の範囲内の整数であり；
Mが主族金属を表し；かつ
Aが対イオンまたは求核試薬を表し；
ここで、もしR5が存在しなければ、R1とR2の少なくとも1方がR3とR4の少なくとも1方と合わさって架橋置換基を形成し、さらに化学式106の置換基のそれぞれが、サレネートが不斉になるように選択される。）
【請求項４】  下記一般化学式100により表されるキラルな触媒。
【化４】
2002513734.tif 000004
（ここでZ1、Z2、Z3およびZ4がそれぞれルイス塩基を表し；
Z1、Z3およびMで形成されるC1部分、およびZ2、Z4およびMで形成されるC2部分が、それぞれ独立して、複素環を形成し；
R1、R2、R’1およびR’2が、それぞれ独立して、存在しないか、またはそれが結合する電子供与原子の原子価要求によって許容される有機または無機の置換基での共有結合置換を表し、
R40およびR41が、それぞれ独立して、存在しないか、またはそれが結合する環原子の原子価要求によって許容される有機または無機の置換基でのC1およびC2の1つ以上の共有結合置換を表し、
あるいはR1、R2、R’1、R’2、R40およびR41の任意の2つ以上が合わさって、架橋置換基を形成し；
C1が少なくとも1つの部位でR1、R’1またはR41によって置換され、かつC2が少なくとも1つの部位でR2、R’2またはR40によって置換され、さらにR1、R’1およびR41の少なくとも1つがR2、R’2またはR40の少なくとも1つと合わさって、4座配位子としてZ1、Z2、Z3およびZ4を提供するように架橋置換基を形成していることを条件とし；
Mが主族金属イオンを表し；
Aが対イオンまたは求核試薬を表し；
R1、R2、R’1、R2、R40およびR41が該4座配位子において、少なくとも1つの立体中心を提供するように選択される。）
【請求項５】  前記R1、R2、R’1およびR2が、それぞれ独立して、水素、ハロゲン、アルキル、アルケニル、アルキニル、ヒドロキシル、アルコキシル、シリロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し；
化学式100におけるR40およびR41が、それぞれ独立して、水素、ハロゲン、アルキル、アルケニル、アルキニル、ヒドロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し；
R7がアリール、シクロアルキル、シクロアルケニル、複素環または多環を表し；
ｍがゼロまたは1から8の範囲内の整数である；
ことを特徴とする請求項４記載の触媒。
【請求項６】  前記Z1、Z2、Z3およびZ4が、それぞれ独立して、窒素、酸素、リン、ヒ素、硫黄より成る群から選択されることを特徴とする請求項４または５記載の触媒。
【請求項７】  下記一般化学式により表されるエイジドメタロサレネート触媒を含む組成物。
【化５】
2002513734.tif 000005
（ここで、置換基R1、R2、R3、R4、R5、Y1、Y2、X1、X2、X3、X4、X5、X6、X7およびX8が、それぞれ独立して、水素、ハロゲン、アルキル、アルケニル、アルキニル、ヒドロキシル、アルコキシル、シリロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し；
あるいは、任意の2つ以上の置換基が合わさって、環構造内に4から10原子を有する炭素環または複素環を形成し；
R7がアリール、シクロアルキル、シクロアルケニル、複素環または多環を表し；
ｍがゼロまたは1から8の範囲内の整数であり；
Mが主族金属を表し；かつ
Aが対イオンまたは求核試薬を表し；
ここで、もしR5が存在しなければ、R1とR2の少なくとも1方がR3とR4の少なくとも1方と合わさって架橋置換基を形成し、さらに化学式106の置換基のそれぞれが、サレネートが不斉になるように選択される。）
【請求項８】  一般化学式140により表されるキラルな触媒。
【化６】
2002513734.tif 000006
（ここで、Z1、Z2およびZ3が、それぞれ、ルイス塩基を表し；
Z1、Z2およびMで形成されているE1部分、およびZ2、Z3およびMで形成されているE2部分が、それぞれ独立して、複素環を形成し；
R80およびR81が、それぞれ独立して、存在しないか、または、ハロゲン、アルキル、アルケニル、アルキニル、ヒドロキシル、アルコキシル、シリロキシル、アミノ、ニトロ、チオール、アミン、イミン、アミド、ホスホリル、ホスホネート、ホスフィン、カルボニル、カルボキシル、シリル、エーテル、チオエーテル、スルホニル、セレノエーテル、ケトン、アルデヒド、エステル、または−(CH2)m−R7を表し、あるいはR80、R81の置換基の任意の2つ以上が合わさって、架橋置換基を形成し；
R7がアリール、シクロアルキル、シクロアルケニル、複素環または多環を表し；
ｍがゼロまたは1から8の範囲内の整数であり；
Mが主族金属を表し；
Aが対イオンまたは求核試薬を表し；かつ
3座配位子が不斉である。）
【請求項９】  一般化学式150により表されるキラルな触媒。
【化７】
2002513734.tif 000007
（ここで、R106が、水素、ハロゲン、アルキル、アルケニル、アルキニル、ヒドロキシル、アルコキシル、シリロキシル、アミノ、ニトロ、チオール、アミン、イミン、アミド、ホスホネート、ホスフィン、カルボニル、カルボキシル、シリル、エーテル、チオエーテル、スルホニル、セレノエーテル、ケトン、アルデヒド、エステル、または−(CH2)m−R7を表し；
R112およびR’112が、それぞれ、存在しないか、またはそれが結合している複素環の1つ以上の共有結合置換を表し；
R7が、アリール、シクロアルキル、シクロアルケニル、複素環または多環を表し；ｍはゼロまたは1から8の範囲内の整数であり；
Mが主族金属を表し；かつ
Aが対イオンまたは求核試薬を表す。）
【請求項１０】  一般化学式108により表されるキラルな触媒。
【化８】
2002513734.tif 000008
（ここで、D1、D2、D3およびD4が、それぞれ、ピロール、ピロリジン、ピリジン、ピペリジン、イミダゾール、ピラジンを含む群から選択された複素環を表し；
R18が、それぞれ、隣接する複素環を連結している架橋置換基を表し；
R19が、それぞれ独立して、存在しないか、またはそれが結合している複素環の1つ以上の置換基を表し；該置換基が、それぞれ独立して、ハロゲン、アルキル、アルケニル、アルキニル、ヒドロキシル、アルコキシル、シリロキシル、アミノ、ニトロ、チオール、アミン、イミン、アミド、ホスホネート、ホスフィン、カルボニル、カルボキシル、シリル、エーテル、チオエーテル、スルホニル、セレノエーテル、ケトン、アルデヒド、エステル、および−(CH2)m−R7より成る群から選択され、あるいは置換基R18およびR19の２つ以上が共有結合して架橋置換基を形成し；
R7が、アリール、シクロアルキル、シクロアルケニル、複素環または多環を表し；
ｍがゼロまたは1から8の範囲内の整数であり；さらに
Mが主族金属を表し、かつ
該触媒が不斉である。）
【請求項１１】  一般化学式110により表されるキラルな触媒。
【化９】
2002513734.tif 000009
（ここで、R19、R’19およびR20が、それぞれ独立して、水素、ハロゲン、アルキル、アルケニル、アルキニル、ヒドロキシル、アルコキシル、シリロキシル、アミノ、ニトロ、チオ、アミン、イミン、アミド、ホスホネート、ホスフィン、カルボニル、カルボキシル、シリル、エーテル、チオエーテル、スルホニル、セレノエーテル、ケトン、アルデヒド、エステル、または−(CH2)m−R7を表し；
同じピロール上の任意の2つのR19およびR’19置換基が合わさって、環構造内に4から7の原子を有する縮合炭素環または縮合複素環を形成することができ；
R19、R’19およびR20置換基の任意の2つ以上が共有結合して交差連結し、架橋置換基を形成していて差し支えなく；
R7がアリール、シクロアルキル、シクロアルケニル、複素環または多環を表し；
ｍがゼロまたは1から8の範囲内の整数であり；さらに
Mが主族金属を表し；かつ
該触媒が不斉である。）
【請求項１２】  前記主族金属が、周期表の1、2、12、13、または14族から選択されることを特徴とする、請求項１から６および８から１１いずれか１項記載の触媒または請求項７記載の組成物。
【請求項１３】  前記主族金属が、12、13、または14族から選択されることを特徴とする、請求項１から６および８から１１いずれか１項記載の触媒または請求項７記載の組成物。
【請求項１４】  前記Mが、Li、Na、K、Pb、Cs、Be、Mg、Ca、Sr、Ba、Zn、Cd、Hg、B、Al、Ga、In、Si、GeおよびSnより成る群から選択されることを特徴とする、請求項１から６および８から１１いずれか１項記載の触媒または請求項７記載の組成物。
【請求項１５】  前記MがAl(III)であることを特徴とする、請求項１から６および８から１１いずれか１項記載の触媒または請求項７記載の組成物。